(57)【要約】【課題】効果的な販売促進をすることができる陳列棚システムを提供する。【解決手段】商品を載置可能な載置部３９１と、裏面側から投影された表示画像を表面に表示するスクリーン３２１と、入力された表示画像データに基づく表示画像を投影するプロジェクタ３８１と、プロジェクタ３８１から投影された表示画像をスクリーン３２１の裏面側に導く光学系３５１と、を有する複数の陳列棚３０１と、第１の情報処理部２４１と、プロジェクタ３８１へのデータ入力を実現する第１の通信部２５１と、を有する表示制御装置２０１と、を備え、表示制御装置２０１は、第１の情報処理部２４１が、表示画像記憶領域２６１から表示画像データを読み出し、読み出した表示画像データをプロジェクタ３８１に入力し、また、スケジュール記憶領域２７１に記憶されているスケジュールデータに基づいて、プロジェクタ３８１への入力表示画像データを切り替えるようにした。【選択図】図２
2008194332.tif 000002
【特許請求の範囲】
【請求項１】
商品を載置可能な載置部と、当該載置部に設けられて裏面側から投影された表示画像を表面に表示する透過型のスクリーンと、入力された表示画像データに基づく表示画像を投影するプロジェクタと、当該プロジェクタから投影された表示画像を前記スクリーンの裏面側に導く光学系と、を有する複数の陳列棚と、
情報処理を実行する第１の情報処理部と、前記プロジェクタへのデータ入力を実現する第１の通信部と、を有する表示制御装置と、
を備え、
前記表示制御装置は、
前記第１の情報処理部が、表示画像データを記憶する表示画像記憶領域から表示画像データを読み出す手段と、
前記第１の情報処理部が、前記読み出した表示画像データを前記プロジェクタに入力する手段と、
前記第１の情報処理部が、スケジュール記憶領域に記憶されて前記プロジェクタへの入力表示画像データを指定するスケジュールデータに基づいて、前記プロジェクタへの入力表示画像データを切り替える手段と、
を備える陳列棚システム。
【請求項２】
前記表示画像記憶領域に記憶されている表示画像データは、価格を含む商品情報データを記憶する商品情報データベースに記憶されている商品情報データに対応付けられて、当該表示画像データが示す表示画像は、当該商品情報データに基づく商品情報を表示し、
前記第１の情報処理部は、前記商品情報データベースに記憶されている商品情報データが変更された場合、前記表示画像記憶領域に記憶されて当該商品情報データに対応付けられている表示画像データに対して当該商品情報データの変更に基づく商品情報の変更を実行する、
請求項１記載の陳列棚システム。
【請求項３】
商品を載置可能な載置部と、当該載置部に設けられて裏面側から投影された表示画像を表面に表示する透過型のスクリーンと、入力された表示画像データに基づく表示画像を投影するプロジェクタと、当該プロジェクタから投影された表示画像を前記スクリーンの裏面側に導く光学系と、表示画像データを記憶する記憶部と、情報処理を実行する第２の情報処理部と、を有する複数の陳列棚と、
情報処理を実行する第１の情報処理部と、前記第２の情報処理部とのデータ通信を実現する第２の通信部と、を有する表示制御装置と、
を備え、
前記表示制御装置は、
前記第１の情報処理部が、表示画像データを記憶する表示画像記憶領域に記憶されている表示画像データを前記第２の情報処理部に対して配信して、当該第２の情報処理部に当該表示画像データを前記記憶部に記憶させる手段と、
前記第１の情報処理部が、前記第２の情報処理部に前記記憶部から表示画像データを読み出させ、前記プロジェクタに入力させる手段と、
前記第１の情報処理部が、スケジュール記憶領域に記憶されて前記プロジェクタへの入力表示画像データを指定するスケジュールデータに基づいて、前記プロジェクタへの入力表示画像データを前記第２の情報処理部に切り替えさせる手段と、
を備える、
陳列棚システム。
【請求項４】
前記表示画像記憶領域に記憶されている表示画像データは、価格を含む商品情報データを記憶する商品情報データベースに記憶されている商品情報データに対応付けられて、当該表示画像データが示す表示画像は、当該商品情報データに基づく商品情報を表示し、
前記第１の情報処理部は、前記商品情報データベースに記憶されている商品情報データが変更された場合、前記表示画像記憶領域に記憶されて当該商品情報データに対応付けられている表示画像データに対して当該商品情報データの変更に基づく商品情報の変更を実行し、当該変更を実行した表示画像データを前記第２の情報処理部に対して配信して当該第２の情報処理部に当該表示画像データを前記記憶部に記憶させる、
請求項３記載の陳列棚システム。
【請求項５】
前記表示画像記憶領域に記憶されている表示画像データは、
背景画像を示す背景画像データと、
前記背景画像に重ねられて商品情報を表示する区域を含む商品情報表示画像を表示する商品情報表示画像データと、
によって構成されている、請求項２又は４記載の陳列棚システム。
【発明の詳細な説明】
【技術分野】
【０００１】
本発明は、陳列棚に設けられたスクリーンに画像を表示する陳列棚システムに関する。
【背景技術】
【０００２】
商品を陳列する陳列棚は、店舗（スーパーマーケット、コンビニエンスストア、ホームセンター、及びデパート等）の商品売場で広く用いられている。陳列棚には、陳列された商品に対応付けて棚札が付される。棚札は、対応する商品の価格やその他の情報を顧客に示すことを目的としている。
【０００３】
このような棚札として、電子棚札が開発されている（特許文献１参照）。電子棚札は、液晶パネルや有機ＥＬパネル等によって形成されている（例えば、特許文献１の段落０００８参照）。
【０００４】
ところで、販売促進のための広告媒体であるＰＯＰ広告（Ｐｏｉｎｔ  ｏｆ  Ｐｕｒｃｈａｓｅ）が従来から用いられている。ＰＯＰ広告によって陳列棚に陳列した商品を買物客に注目させることができる。特許文献２には、陳列棚の天壁にプロジェクタとこのプロジェクタからの投影画像を表示するスクリーンとを設けた陳列棚（特許文献２ではショーケース）が開示されている。これによれば、紙等の記録媒体に印刷されたＰＯＰ広告の取り付け作業を行うことなく、スクリーンに表示する画像によって、陳列棚に陳列された商品の販売促進をすることができる（特許文献２の段落００１８参照）。
【０００５】
【特許文献１】特開２００５−０９９８８８公報
【特許文献２】特開２００１−２４５７５６公報
【発明の開示】
【発明が解決しようとする課題】
【０００６】
特許文献１に示されているような電子棚札は、価格面の問題から情報表示領域を広くとることが困難である。液晶パネルや有機ＥＬパネルの歩留まりの面からも、情報表示領域を広くとることが困難である。したがって、電子棚札の表示内容は、対応する商品の価格とその他の僅かな情報に留まる。このため、販売促進効果が期待できるＰＯＰ広告のような機能を電子棚札に持たせることは困難である。なお、特許文献１には、複数の薄型表示装置を横に連結して横長に形成することが開示されている（図８参照）。しかし、この場合には薄型表示装置同士の間に継ぎ目が生じてしまい、継ぎ目の部分には自然で綺麗な表示をすることは困難である。
【０００７】
そこで、特許文献２に示されているような陳列棚を採用する場合には、陳列棚の天壁に別途大きなスクリーンを取り付ける作業が必要となってしまう。また、店舗の形態によっては、取り付けたスクリーンのためのスペースを確保することは困難である。
【０００８】
本発明の目的は、効果的な販売促進をすることができる陳列棚システムを提供することである。
【課題を解決するための手段】
【０００９】
本発明の陳列棚システムは、商品を載置可能な載置部と、当該載置部に設けられて裏面側から投影された表示画像を表面に表示する透過型のスクリーンと、入力された表示画像データに基づく表示画像を投影するプロジェクタと、当該プロジェクタから投影された表示画像を前記スクリーンの裏面側に導く光学系と、を有する複数の陳列棚と、情報処理を実行する第１の情報処理部と、前記プロジェクタへのデータ入力を実現する第１の通信部と、を有する表示制御装置と、を備え、前記表示制御装置は、前記第１の情報処理部が、表示画像データを記憶する表示画像記憶領域から表示画像データを読み出し、前記読み出した表示画像データを前記プロジェクタに入力し、スケジュール記憶領域に記憶されて前記プロジェクタへの入力表示画像データを指定するスケジュールデータに基づいて、前記プロジェクタへの入力表示画像データを切り替えるようにした。
【００１０】
別の面から見た本発明の陳列棚システムは、商品を載置可能な載置部と、当該載置部に設けられて裏面側から投影された表示画像を表面に表示する透過型のスクリーンと、入力された表示画像データに基づく表示画像を投影するプロジェクタと、当該プロジェクタから投影された表示画像を前記スクリーンの裏面側に導く光学系と、表示画像データを記憶する記憶部と、情報処理を実行する第２の情報処理部と、を有する複数の陳列棚と、情報処理を実行する第１の情報処理部と、前記第２の情報処理部とのデータ通信を実現する第２の通信部と、を有する表示制御装置と、を備え、前記表示制御装置は、前記第１の情報処理部が、表示画像データを記憶する表示画像記憶領域に記憶されている表示画像データを前記第２の情報処理部に対して配信して、当該第２の情報処理部に当該表示画像データを前記記憶部に記憶させ、前記第２の情報処理部に前記記憶部から表示画像データを読み出させ、前記プロジェクタに入力させ、スケジュール記憶領域に記憶されて前記プロジェクタへの入力表示画像データを指定するスケジュールデータに基づいて、前記プロジェクタへの入力表示画像データを前記第２の情報処理部に切り替えさせるようにした。
【発明の効果】
【００１１】
本発明によれば、複数の陳列棚について、その載置部に設けられたスクリーンに表示画像を表示させ、時間の経過に伴ってその表示画像を切り替えることが可能になり、効果的な販売促進をすることができる。
【発明を実施するための最良の形態】
【００１２】
本発明の第１の実施の形態について図１ないし図１２に基づいて説明する。
【００１３】
図１は、本発明の第１の実施の形態の陳列棚システム１０１を示すシステム構成図である。陳列棚システム１０１は、スーパーマーケット等の店舗に導入されている。
【００１４】
陳列棚システム１０１は、店舗の床面に設置された複数の陳列棚３０１を有する。陳列棚３０１には、商品を載置可能な載置部３９１が設けられている。陳列棚３０１の内部にはプロジェクタ３８１（図２参照）が配置されている。
【００１５】
陳列棚システム１０１は、さらに、店舗のバックヤードに設置された表示制御装置２０１を有する。複数の陳列棚３０１に対して一台の表示制御装置２０１が設置されている。表示制御装置２０１は、陳列棚３０１に配置されたプロジェクタ３８１と通信を実行してプロジェクタ３８１へのデータ入力を実現する通信部としての通信装置２５１（図２参照）を有する。通信装置２５１とプロジェクタ３８１とはネットワーク１２１を介して接続されている。
【００１６】
また、表示制御装置２０１は、通信装置２５１によって、商品情報データベース４０１との間におけるデータ通信を可能としている。商品情報データベース４０１は、商品名、価格、値引状況等を含む商品情報データを商品固有の商品コードと対応付けて記憶するものである。商品情報データベース４０１は、一例として、表示制御装置２０１と接続されたストアサーバ４０２のＨＤＤ等の記憶装置（図示せず）に設けられている。商品情報データベース４０１は、同じ店舗内に導入されているＰＯＳ（Ｐｏｉｎｔ  Ｏｆ  Ｓａｌｅｓ）システム５０１の一部である。ＰＯＳシステム５０１は、複数のＰＯＳ端末５０２を有する。ＰＯＳ端末５０２は、商品コードの入力を受け付け、入力された商品コードに基づいて商品情報データベース４０１にアクセスし、商品情報データベース４０１から対応する商品情報データを取得し、取得した商品情報データに基づいて商品販売データ処理を実行する。
【００１７】
本実施の形態の陳列棚システム１０１は、複数の陳列棚３０１に対して一台の表示制御部２４１を有するため、複数台の表示制御部２４１を有する場合と比べて、システム管理の手間や故障確率等が低減されることが期待できる。また、表示制御部２４１が一台であるため、システム故障や変更の場合にもその対応が容易なものとなり、複数台の表示制御部２４１が同時に商品情報データベース４０１にアクセスするようなことがない。
【００１８】
図２は、表示制御装置２０１をブロック図として模式的に付加して陳列棚３０１を概略的に示す断面図である。
【００１９】
表示制御装置２０１について説明する。表示制御装置２０１は、情報処理を実行する情報処理部としての表示制御部２４１を有する。また、表示制御装置２０１は、表示制御部２４１及び前述した通信装置２５１の他、情報を表示するモニタ部２１１、計時を実行するタイマ部２２１、及び、情報の入力を受け付ける入力部２３１を有する。図２中では、一つのタイマ部２２１のみ図示されているが、表示制御装置２０１には陳列棚システム１０１が有する全ての陳列棚３０１に対応させて陳列棚３０１と同数のタイマ部２２１が設けられている。表示制御装置２０１が有する各部は、表示制御部２４１によって制御を受ける。
【００２０】
表示制御装置２０１は、１画面からなる表示画像の表示画像データを記憶する表示画像記憶領域２６１を有する。表示制御部２４１は、表示画像記憶領域２６１から表示画像データを読み出し、また、読み出した表示画像データを通信装置２５１及びネットワーク１２１を介してプロジェクタ３８１に入力する。プロジェクタ３８１は入力された表示画像データに基づく１画面からなる表示画像の投影を行う。
【００２１】
表示制御装置２０１は、さらに、プロジェクタ３８１に入力する表示画像データを指定するスケジュールデータを記憶するスケジュール記憶領域２７１と、表示画像データが示す表示画像を形成する部分画像を示す部分画像データを記憶する表示コンテンツデータベース２８１とを有する。部分画像を示す部分画像データは、背景画像データと商品情報表示画像データとがある。
【００２２】
次に、陳列棚３０１について説明する。陳列棚３０１は、下部前板３０２、底板３０３、背板３０４、及び天板３０５を備えている。下部前板３０２、底板３０３、背板３０４、及び天板３０５は、左右一対の側板３０６に挟まれて位置固定されている。下部前板３０２の上側には、載置部３９１の最下段部分を形成する棚板３１１が設けられている。棚板３１１の上方位置には載置部３９１の第２段部分を形成する棚板３１２が設けられている。棚板３１２の上方位置には載置部３９１の第３段部分を形成する棚板３１３が設けられている。棚板３１１、棚板３１２、及び棚板３１３は、左右一対の側板３０６に挟まれて水平に固定されている。
【００２３】
棚板３１１の上方にはスクリーン３２１ａが設けられている。棚板３１２の上方にはスクリーン３２１ｂが設けられている。棚板３１３の上方にはスクリーン３２１ｃが設けられている。棚板３１２の背部にはスクリーン３２１ｄが設けられている。棚板３１３の背部にはスクリーン３２１ｅが設けられている。スクリーン３２１ａは棚板３１２に固定されると共に左右一対の側板３０６に固定されている。スクリーン３２１ｂは棚板３１３に固定されると共に左右一対の側板３０６に固定されている。スクリーン３２１ｃは、天板３０５の前端に固定されると共に左右一対の側板３０６に固定されている。以下、スクリーン３２１ａ、スクリーン３２１ｂ、スクリーン３２１ｃ、スクリーン３２１ｄ、及びスクリーン３２１ｅを併せてスクリーン３２１と称することがある。このようにして、載置部３９１にスクリーン３２１が設けられている。スクリーン３２１は、一例として、透明なアクリル板と、このアクリル板の裏面側に貼付された乳白色のスクリーン部材と、によって構成されている。スクリーン部材は、裏面から投影された像を前面から視認できる透過型のものである。
【００２４】
棚板３１１の奥側端部には、棚板３１１によって形成される載置部３９１の奥行きを規定する奥板３３１が固定されている。奥板３３１の最上部からは棚板３１１の設置方向に沿って天井板３４１が設けられている。スクリーン３２１ｄの最上部からは棚板３１２の設置方向に沿って天井板３４２が設けられている。スクリーン３２１ｅの最上部からは棚板３１３の設置方向に沿って天井板３４３が設けられている。天井板３４１は棚板３１１と平行に設けられている。天井板３４２は棚板３１２と平行に設けられている。天井板３４３はスクリーン３２１ｃへ投影される画像を遮らないように所定の傾きをもって設けられている。天井板３４１、天井板３４２、及び天井板３４３は、それぞれ、前端がスクリーン３２１ａ、スクリーン３２１ｂ、及びスクリーン３２１ｃの下端に接続されている。
【００２５】
スクリーン３２１ａと天井板３４１と棚板３１２とによって囲まれた領域には、スクリーン３２１ａに投影される画像が水平方向に投影される段部画像投影空間３６１が形成されている。スクリーン３２１ｂと天井板３４２と棚板３１３とによって囲まれた領域には、段部画像投影空間３６２が形成されている。スクリーン３２１ｃと天井板３４３と天板３０５とによって囲まれた領域には、段部画像投影空間３６３が形成されている。天井板３４１、天井板３４２、及び天井板３４３を設けることによって、段部画像投影空間３６１、段部画像投影空間３６２、及び段部画像投影空間３６３の下部は覆われ、棚板３１１、棚板３１２、及び棚板３１３に配置される商品が段部画像投影空間３６１、段部画像投影空間３６２、段部画像投影空間３６３の内に入り込むのが防止され、商品によりプロジェクタ投影像に影ができるのを防止できる。
【００２６】
下部前板３０２と背板３０４との間には、プロジェクタ３８１を配置するための配置空間３６４が形成されている。奥板３３１とスクリーン３２１ｄとスクリーン３２１ｅと背板３０４との間には、プロジェクタ画像の奥側画像投影空間３６５が形成されている。配置空間３６４に配置されたプロジェクタ３８１は、底板３０３上に配置されたプロジェクタ設置部としてのプロジェクタ設置台３７０に設置されている。プロジェクタ設置台３７０は、プロジェクタ３８１の光学軸が鉛直線に対して所定の角度だけ傾くように配置するものであり、所定の設置部３７１を形成して構成されている。プロジェクタ３８１は、内蔵された液晶表示装置（図示せず）に表示される１画面で構成された表示画像を投影する。
【００２７】
奥側画像投影空間３６５には、プロジェクタ３８１からの投影光を反射して５枚のスクリーン３２１の裏面側に導く光学系としての平面鏡３５１ａ、平面鏡３５１ｂ、及び平面鏡３５１ｃが設けられている。プロジェクタ３８１から投影された表示画像は、平面鏡３５１ａによってスクリーン３２１ａに、平面鏡３５１ｂによってスクリーン３２１ｂ及びスクリーン３２１ｄに、平面鏡３５１ｃによってスクリーン３２１ｃ及びスクリーン３２１ｅに投影される。プロジェクタ３８１は、プロジェクタ３８１からの投影光がスクリーン３２１ａ、スクリーン３２１ｂ、及びスクリーン３２１ｃに合焦した像を結像するように位置が決定される。以下、平面鏡３５１ａ、平面鏡３５１ｂ、及び平面鏡３５１ｃを併せて平面鏡３５１と称することがある。平面鏡３５１は、左右一対の側板３０６に両端を固定されている。
【００２８】
陳列棚３０１の背面側には、プロジェクタ３８１に接続された通信装置３８２が設けられている。通信装置３８２は、ネットワーク１２１に接続されている。通信装置３８２は、ネットワーク１２１を介して送信される表示画像データをプロジェクタ３８１に入力する。
【００２９】
図３は、表示制御装置２０１のハードウェア構成を示すブロック図である。表示制御装置２０１は、情報処理を実行する第１の情報処理部としての表示制御部２４１を有する。表示制御部２４１は、各種演算処理を実行するＣＰＵ２４２を主体に構成されている。ＣＰＵ２４２には、ＢＩＯＳ等の固定データを固定的に記憶するＲＯＭ２４３と、各種可変データを書き替え自在に記憶してワークエリアとして使用されるＲＡＭ２４４とがバスライン２４９を介して接続されている。ＲＡＭ２４４には、後述する表示切替処理の状況を示す管理テーブル２４８が設けられている。表示制御部２４１には、ＨＤＤ２４５とＣＤ−ＲＯＭドライブ２４６とが接続されている。ＣＤ−ＲＯＭドライブ２４６は、ＣＤ−ＲＯＭ２４７に記憶されたＯＳ（オペレーティングシステム）や各種のアプリケーションプログラム等の情報を読み取る。読み取られた情報は、ＨＤＤ２４５にインストール可能となっている。ＨＤＤ２４５には、表示画像記憶領域２６１、スケジュール記憶領域２７１、及び、表示コンテンツデータベース２８１が設けられている。ＨＤＤ２４５に記憶されているデータは、ＲＡＭ２４４にコピーされて使用される。
【００３０】
表示制御部２４１には、前述したモニタ部２１１、タイマ部２２１、入力部２３１、及び通信装置２５１が接続されている。
【００３１】
モニタ部２１１は、液晶画面等を備えるディスプレイである。表示制御部２４１は、プロジェクタ３８１に入力している表示画像データをモニタ部２１１に対しても入力する。モニタ部２１１は、入力された表示画像データに基づく表示画像を表示させる。したがって、モニタ部２１１には、プロジェクタ３８１が投影している表示画像と同じ表示画像が表示される。
【００３２】
タイマ部２２１は、任意の時間入力を受け付けて、入力時間の減数を行う。図３中では図示しないが、表示制御装置２０１には、陳列棚３０１と同数のタイマ部２２１が設けられている。
【００３３】
入力部２３１は、キーボード２１３とポインティングデバイスであるマウス２１４とによって構成されている。入力部２３１は、表示制御部２４１に対して入力を実行する。
【００３４】
通信装置２５１は、ネットワーク１２１（図２参照）を介して、プロジェクタ３８１（図２参照）に接続された通信装置３８２（図２参照）に接続されている。通信装置２５１は、通信装置３８２との間の通信を可能とするプロトコルをサポートしている。表示制御部２４１は、通信装置２５１とネットワーク１２１と通信装置３８２とを介して、表示画像記憶領域２６１に記憶されている表示画像データをプロジェクタ３８１に入力可能となっている。また、通信装置２５１は、商品情報データベース４０１（図１参照）を有するストアサーバ４０２（図１参照）に接続されている。表示制御部２４１は、ストアサーバ４０２との間でデータ通信可能となっている。
【００３５】
図４は、表示画像記憶領域２６１のデータ構成を示す模式図である。ＨＤＤ２４５（図３参照）に設けられた表示画像記憶領域２６１には１画面で構成される表示画像の表示画像データが複数記憶されている。表示画像データは、静止画像のデータに限られず動画像のデータをも含む。表示画像データは、陳列棚３０１（通信装置３８２）に予め付与されている固有の「棚番号」に対応付けて、「棚番号」毎に複数の表示画像データがナンバリング（例えば、表示画像データ１、表示画像データ２等）されて記憶されている。表示画像データは、「棚番号」毎に同じものであってもよいし異なるものであってもよい。このような表示画像データは、背景画像データと商品情報表示画像データとによって構成されている。
【００３６】
図５は、表示画像を示す模式図である。表示画像データが示す表示画像は、背景画像データが示す背景画像と、背景画像に重ねられて商品情報を表示する商品情報表示画像データが示す商品情報表示画像とによって構成されている。表示画像の段領域ａがスクリーン３２１ｃ（図２参照）に投影される。同様に、段領域ｂがスクリーン３２１ｅに、段領域ｃがスクリーン３２１ｂに、段領域ｄがスクリーン３２１ｄに、段領域ｅがスクリーン３２１ａにそれぞれ投影されている。
【００３７】
図５に示すように、商品情報表示画像は、背景画像に重ねられて表示画像の段領域ａ、段領域ｃ、及び段領域ｅとなる段領域については、複数の区域に区分されている。商品情報表示画像の各区域には、商品名や価格を含む商品情報が表示されている。例えば、表示画像の段領域ａに相当する段領域の左端の区域には、商品情報として商品名「メロンパン」と価格「１５０円」とが表示されている。
【００３８】
本実施の形態では、商品情報表示画像の各区域に表示される商品情報を表示する商品情報表示画像データは、商品コード等によって、商品情報データベース４０１（図１参照）が記憶する商品情報データと対応付けられている。つまり、商品情報表示画像データと商品情報データベース４０１に記憶されている商品情報データとは対応付けられている。
【００３９】
各区域に表示される商品情報表示画像は、表示コンテンツデータベース２８１（図６参照）に記憶されている部分画像データが示す部分画像によって形成されている。
【００４０】
図６は、表示コンテンツデータベース２８１のデータ構成を示す模式図である。表示コンテンツデータベース２８１には、表示画像の各区域（図５参照）に表示される商品情報表示画像を形成する部分画像のデータが記憶されている。部分画像としては、例えば、「１」「２」「０」等の数字、「円」等の単位、「半額」等の値引状況、「メロンパン」等の商品名が含まれている。なお、表示コンテンツデータベース２８１には、背景画像を形成するための部分画像を示す部分画像データ等も記憶されている。
【００４１】
図７は、スケジュール記憶領域２７１のデータ構成を示す模式図である。図７に示すように、スケジュール記憶領域２７１には、複数のスケジュールデータが「棚番号」に対応付けられて記憶されている。したがって、陳列棚システム１０１が有する個々の陳列棚３０１に対してスケジュールデータが設けられている。また、図７に示すように、個々のスケジュールデータは、プロジェクタ３８１に入力して投影させる表示画像の表示画像データを指定している。つまり、スケジュールデータは、複数の「ステップ」に対応付けて「入力する表示画像データ」と、そのステップが有する所定の時間である「ステップ時間」とを記憶する。例えば、「棚番号＝１」の陳列棚３０１では、「ステップ１」としてプロジェクタ３８１への「１０分間」の「表示画像データ１」の入力を指定し、次の「ステップ２」として「１５分間」の「表示画像データ２」の入力を指定する。なお、スケジュールデータは、一般的な店舗の業務時間に対応する十分な数の「ステップ」または「ステップ時間」を指定している。
【００４２】
次に、陳列棚３０１のスクリーン３２１に表示される表示画像を切り替える表示切替処理について説明する。
【００４３】
図８は、陳列棚システム１０１における表示切替処理の流れを示すフローチャートである。表示制御装置２０１の表示制御部２４１に対する開始指示がなされたならば（Ｓ１０１のＹ）、表示制御部２４１は、ＲＡＭ２４４に設けられている管理テーブル２４８（図９参照）の各パラメータ部分に表示切替処理の開始に必要な値を入力する（Ｓ１０２）。なお、開始指示は、店舗の業務開始等に際して入力部２３１を介して行われる。
【００４４】
図９は、管理テーブル２４８のデータ構成を示す模式図である。表示切替処理の状況を示す管理テーブル２４８は、「棚番号」、スケジュールデータ（図７参照）が指定する「ステップ」、及びタイマ部２２１が計時する「タイマ値」をパラメータとして記憶する。表示制御部２４１は、図８のフローチャートのＳ１０２で、全ての「棚番号」に対応する「ステップ」に「１」を入力し、「タイマ値」に「０」を入力する。「タイマ値＝０」は、「タイマ値」のクリアを意味する。
【００４５】
図８のフローチャートに戻る。表示制御部２４１は、管理テーブル２４８への入力（Ｓ１０２）の後、陳列棚システム１０１が有する複数（ｎとする）の陳列棚３０１に対する表示切替処理を実行する（Ｓ１０３）。Ｓ１０３では、全ての陳列棚３０１（「棚番号＝１」から「棚番号＝ｎ」の陳列棚３０１）について、「棚番号」の昇順に表示切替処理を開始する。表示制御部２４１は、スケジュール記憶領域２７１から「棚番号＝１」に対応するスケジュールデータを読み出してＲＡＭ２４４に展開する。そして、スケジュールデータが指定する「ステップ＝１」の「ステップ時間」（例えば、１０分間）を管理テーブル２４８の「タイマ値」に入力し、「ステップ＝１」の表示画像データ（例えば、表示画像データ１）を表示画像記憶領域２６１から読み出してプロジェクタ３８１に入力する。このとき、表示制御部２４１は、タイマ部２２１に「タイマ値」（ステップ時間が入力されている）の減数を開始させる。このような処理を「棚番号＝ｎ」の陳列棚３０１についてまで実行し、表示制御部２４１は、終了指示の有無を確認する（Ｓ１０４）。終了指示がなされていなければ（Ｓ１０４のＮ）、表示制御部２４１は、「棚番号＝１」から昇順に「ステップ＝２」以降の処理を繰り返す（Ｓ１０５、Ｓ１０３）。なお、表示制御部２４１に対する終了指示は、店舗の業務終了等に際して、入力部２３１を介して行われる。
【００４６】
次に、図８のフローチャートのＳ１０３で実行される個々の陳列棚３０１（「棚番号＝Ｋ」の陳列棚３０１）における表示切替処理について説明する。
【００４７】
図１０は、個々の陳列棚３０１における表示切替処理の流れを示すフローチャートである。表示制御装置２０１の表示制御部２４１は、「棚番号＝Ｋ」に対応する「タイマ値」を検査し、「タイマ値＝０」となっているか否かについて判定を行う（Ｓ２０１）。前述したように、「タイマ値」には、「ステップ時間」が入力され、タイマ部２２１が「タイマ値」を減数し、時間の経過によって、「タイマ値＝０」となる。判定（Ｓ２０１）の結果、「タイマ値＝０」でなければ（Ｓ２０１のＮ）、表示制御部２４１は、「棚番号＝Ｋ＋１」の陳列棚３０１に対する表示切替処理の実行に移る。一方で、判定（Ｓ２０１）の結果、「タイマ値＝０」であれば（Ｓ２０１のＹ）、表示制御部２４１は、「棚番号＝Ｋ」の陳列棚３０１の「ステップ＝Ｌ」の表示画像データを表示画像記憶領域２６１から読み出し、読み出した表示画像データをプロジェクタ３８１に入力する（Ｓ２０２）。そして、表示制御部２４１は、「ステップ＝Ｌ」の「ステップ時間」を、「タイマ値」に入力して、タイマ部２２１に減数を開始させる（Ｓ２０３）。そして、表示制御部２４１は、「棚番号＝Ｋ」については「ステップ＝Ｌ＋１」とし（Ｓ２０４）、「棚番号＝Ｋ＋１」の陳列棚３０１に対する表示切替処理の実行に移る。
【００４８】
次に、商品情報データベース４０１（図１参照）に記憶されている商品情報データの変更があった場合に、表示制御装置２０１の表示制御部２４１が実行する処理について説明する。商品情報データ（例えば、価格）の変更は、所定の操作によって、ストアサーバ４０２の情報処理部（図示せず）が実行する。この情報処理部は、商品情報データの変更を実行したならば、表示制御装置２０１の表示制御部２４１に対してその変更についての情報を送信する。
【００４９】
図１１は、商品情報データベース４０１に記憶されている商品情報データの変更があった場合に表示制御部２４１が実行する処理の流れを示すフローチャートである。表示制御部２４１は、商品情報データベース４０１の商品情報データの変更についての情報を受信したならば（Ｓ３０１のＹ）、表示画像記憶領域２６１から変更された商品情報に対応する商品情報表示画像データを読み出す（Ｓ３０２）。商品情報表示画像データと商品情報データとは、図５に基づいて説明したように、例えば商品コードによって対応付けられている。この場合、表示制御部２４１がストアサーバ４０２から受信する情報は、変更された商品情報データの商品コードを含んでいる。そして、表示制御部２４１は、この商品コードに基づいて対応する商品情報表示画像データを表示画像記憶領域２６１から読み出す。読み出した商品情報表示画像データはＲＡＭ２４４に記憶される。そして、表示制御部２４１は、この商品情報表示画像データに対して、商品情報データの変更に基づく変更を実行する（Ｓ３０３）。
【００５０】
図１２は、商品情報表示画像データを変更する場合の処理内容を示す模式図である。例えば、商品情報データベース４０１（図１参照）に記憶されている商品情報データの変更として、「食パン」について、「２５０円」から「２３０円」への値引が実行された場合、表示制御部２４１は、表示コンテンツデータベース２８１（図６参照）から、商品情報表示画像２３０円の部分画像である３を形成する部分画像データを読み出し、「２５０円」が含む「５」の部分画像と交換して「２３０円」とする。また、表示コンテンツデータベース２８１から「２０円引」の部分画像のデータを読み出して、「２３０円」の画像に隣接して配置する。
【００５１】
図１１のフローチャートに戻る。表示制御部２４１は、Ｓ３０３で変更を実行した商品情報画像データに対応する背景画像データを表示画像記憶領域２６１から読み出す。そして、この背景画像データが示す背景画像の上にこの商品情報画像データが示す商品情報画像を重ねた表示画像の表示画像データを生成する（Ｓ３０４）。表示制御部２４１は、生成した表示画像データを再び表示画像記憶領域２６１に記憶させる（Ｓ３０５）。なお、表示制御部２４１が、商品情報データベース４０１の商品情報データの変更についての情報を受信しなければ（Ｓ３０１のＮ）、Ｓ３０２からＳ３０５まで処理は実行されずに、図８ないし図１０に基づいて説明した通常の表示切替処理が実行されることになる（Ｓ３０６）。
【００５２】
次に、本発明の第２の実施の形態について図１３ないし図１６に基づいて説明する。図１ないし図１２に基づいて説明した第１の実施の形態と同一の部分は同一の符号で示し説明も省略する。
【００５３】
図１３は、表示制御装置２０１をブロック図として模式的に付加して第２の実施の形態における陳列棚３０１を概略的に示す断面図である。本実施の形態の陳列棚３０１の背面側には、情報処理を実行する情報処理部としての制御部３８３とデータを記憶する記憶部３８４とが通信装置３８２に接続されて設けられている。記憶部３８４と通信装置３８２とは制御部３８３によって制御を受ける。
【００５４】
図１４は、第２の実施の形態の陳列棚システム１０１における表示切替処理の流れを示すフローチャートである。表示制御部２４１に対する開始指示がなされたならば（Ｓ４０１のＹ）、表示制御装置２０１の表示制御部２４１は、個々の陳列棚３０１の制御部３８３に対して、対応する「棚番号」の表示画像データを配信する（Ｓ４０２）。陳列棚３０１の制御部３８３は、配信された表示画像データを記憶部３８４に記憶させる。そして、表示制御部２４１は、管理テーブル２４８（図９参照）の各パラメータ部分に必要な値（「ステップ＝１」等）を入力し（Ｓ４０３）、陳列棚３０１に対する表示切替処理を「棚番号」の昇順に実行する（Ｓ４０４）。まず、表示制御部２４１は、スケジュール記憶領域２７１から「棚番号＝１」に対応するスケジュールデータを読み出してＲＡＭ２４４に展開する。そして、表示制御部２４１は、スケジュールデータが指定する「ステップ＝１」の「ステップ時間」を「タイマ値」に入力し、陳列棚３０１の制御部３８３に、「ステップ＝１」の表示画像データを記憶部３８４から読み出させ、この表示画像データをプロジェクタ３８１に入力させる。このとき、表示制御部２４１は、タイマ部２２１に「タイマ値」の減数を開始させる。このような処理を「棚番号＝ｎ」の陳列棚３０１についてまで実行し、表示制御部２４１は、終了指示の有無を確認する（Ｓ４０５）。終了指示がなされていなければ（Ｓ４０５のＮ）、表示制御部２４１は、「棚番号＝１」から昇順に「ステップ＝２」以降の処理を繰り返す（Ｓ４０６、Ｓ４０４）。
【００５５】
図１５は、第２の実施の形態の個々の陳列棚３０１における表示切替処理の流れを示すフローチャートである。表示制御装置２０１の表示制御部２４１は、「棚番号＝Ｋ」に対応する「タイマ値」を検査し、「タイマ値＝０」となっているか否かについて判定を行う（Ｓ５０１）。「タイマ値＝０」であれば（Ｓ５０１のＹ）、表示制御部２４１は、「棚番号＝Ｋ」の陳列棚３０１の制御部３８３に対して、「ステップ＝Ｌ」の表示画像データを記憶部３８４から読み出してプロジェクタ３８１に入力する処理の指示を出し、当該処理を実行させる（Ｓ５０２）。そして、表示制御部２４１は、「ステップ＝Ｌ」の「ステップ時間」を、「タイマ値」に入力して、タイマ部２２１に減数を開始させる（Ｓ５０３）。そして、表示制御部２４１は、「棚番号＝Ｋ」については「ステップ＝Ｌ＋１」とし（Ｓ５０４）、「棚番号＝Ｋ＋１」の陳列棚３０１に対する表示切替処理の実行に移る。
【００５６】
図１６は、第２の実施の形態における商品情報データベース４０１に記憶されている商品情報データの変更があった場合に表示制御部２４１が実行する処理の流れを示すフローチャートである。Ｓ６０１からＳ６０４までの処理とＳ６０６の処理とについては、それぞれ、図１１に示したフローチャートのＳ３０１からＳ３０４までの処理とＳ３０６の処理と同じであるのでその説明は省略する。本実施の形態では、表示制御部２４１は、Ｓ６０４で生成した表示画像データを対応する陳列棚３０１の制御部３８３に対して配信を行い、この陳列棚３０１の記憶部３８４に記憶させる（Ｓ６０５）。
【００５７】
以上説明したように本実施の形態によれば、店舗に設置された複数の陳列棚３０１について、その載置部３９１に設けられたスクリーン３２１に表示画像を表示させ、時間の経過に伴ってその表示画像を切り替えることができる。例えば、タイムサービス用の表示画像を示す表示画像データを用意し、この表示画像を所定の時間の到来に応じてスクリーン３２１に表示させることが可能となり、買物客に対して効果的な販売促進を行うことができる。また、複数の陳列棚３０１毎に、スクリーン３２１に表示する表示画像の切り替えのスケジュールを異ならせて設定することにより、店舗の形態に応じたきめ細かな販売促進を行うことが可能となる。
【００５８】
また、スクリーン３２１に表示される表示画像について、商品情報データベース４０１に記憶されている商品情報データの変更を反映させることができるので、店舗の販売状況等にも柔軟に対応することができる。
【００５９】
特に、本発明の第２の実施の形態によれば、表示画像データが予め各々の陳列棚３０１に設けられた記憶部３８４に記憶されることになるため、表示画像の切り替え毎にネットワーク１２１を介して表示画像データを送信することがなくなり、ネットワーク１２１等の通信トラフィックの負担を軽減することができる。
【図面の簡単な説明】
【００６０】
【図１】本発明の第１の実施の形態の陳列棚システムを示すシステム構成図である。
【図２】表示制御装置をブロック図として模式的に付加して陳列棚を概略的に示す断面図である。
【図３】表示制御装置のハードウェア構成を示すブロック図である。
【図４】表示画像記憶領域のデータ構成を示す模式図である。
【図５】表示画像を示す模式図である。
【図６】表示コンテンツデータベースのデータ構成を示す模式図である。
【図７】スケジュール記憶領域のデータ構成を示す模式図である。
【図８】陳列棚システムにおける表示切替処理の流れを示すフローチャートである。
【図９】管理テーブルのデータ構成を示す模式図である。
【図１０】個々の陳列棚における表示切替処理の流れを示すフローチャートである。
【図１１】商品情報データベースに記憶されている商品情報データの変更があった場合に表示制御部が実行する処理の流れを示すフローチャートである。
【図１２】商品情報表示画像データを変更する場合の処理内容を示す模式図である。
【図１３】表示制御装置をブロック図として模式的に付加して第２の実施の形態における陳列棚を概略的に示す断面図である。
【図１４】第２の実施の形態の陳列棚システムにおける表示切替処理の流れを示すフローチャートである。
【図１５】第２の実施の形態の個々の陳列棚における表示切替処理の流れを示すフローチャートである。
【図１６】第２の実施の形態における商品情報データベースに記憶されている商品情報データの変更があった場合に表示制御部が実行する処理の流れを示すフローチャートである。
【符号の説明】
【００６１】
１０１…陳列棚システム、２４１…表示制御部（第１の情報処理部）、２５１…通信装置（第１の通信部、第２の通信部）、２６１…表示画像記憶領域、２７１…スケジュール記憶領域、３０１…陳列棚、３２１…スクリーン、３５１…平面鏡（光学系）、３８１…プロジェクタ、３８３…制御部（第２の情報処理部）、３９１…載置部、４０１…商品情報データベース
【図１】
2008194332.tif 000003
【図２】
2008194332.tif 000004
【図３】
2008194332.tif 000005
【図４】
2008194332.tif 000006
【図５】
2008194332.tif 000007
【図６】
2008194332.tif 000008
【図７】
2008194332.tif 000009
【図８】
2008194332.tif 000010
【図９】
2008194332.tif 000011
【図１０】
2008194332.tif 000012
【図１１】
2008194332.tif 000013
【図１２】
2008194332.tif 000014
【図１３】
2008194332.tif 000015
【図１４】
2008194332.tif 000016
【図１５】
2008194332.tif 000017
【図１６】
2008194332.tif 000018